(57)【要約】      （修正有）【課題】多用な方法で操作することのできる学習リモコンシステムを提供する。【解決手段】学習リモコンシステムは、付属リモコンにおける操作信号を対応付けするためのバーコード２０を担持する複数種類のカード２と、学習リモコン３とを備える。学習リモコン３は、ユーザが操作するハンドル部３０及び決定ボタン３１と、バーコード２０を読み取るバーコード読取部３８と、付属リモコンからの複数の操作信号における１つ又はその組み合わせをハンドル部３０及び決定ボタン３１の動作やバーコード２０に対応付けて記憶する操作信号記憶部３４と、ハンドル部３０及び決定ボタン３１の動作や、バーコード２０に対応する操作信号を送信させるリモコン制御部３９で構成する。【選択図】図４
0003144432.tif 000002
【実用新案登録請求の範囲】
【請求項１】
被学習リモコンにおける１つの操作信号、または連続する複数の操作信号を対応付けするためのコードを担持する複数種類のコード担持体と、
前記被学習リモコンからの複数の操作信号を学習して送信する学習リモコンとを備え、
前記学習リモコンは、
ユーザが操作する操作子と、
前記コード担持体の前記コードを読み取るコード読取部と、
前記被学習リモコンからの複数の操作信号における１つ又はその組み合わせを前記操作子の動作及び前記コードに対応付けて記憶する操作信号記憶手段と、
前記操作子の動作があったときに、当該操作子の動作に対応する操作信号を送信させる第１制御部と、
前記コード担持体のコードの読み取りがされたときに、当該コードに対応する操作信号を送信させる第２制御部と、
を備えることを特徴とする学習リモコンシステム。
【請求項２】
請求項１記載の学習リモコンシステムであって、
前記第１制御部及び前記第２制御部は、
前記被学習リモコンの対応装置で実行されるゲームに関する操作信号を送信させることを特徴とする学習リモコンシステム。
【請求項３】
請求項２の学習リモコンシステムであって、
前記被学習リモコンからの操作信号は当該被学習リモコンの矢印キー及び決定キーの動作に対応するものであることを特徴とする学習リモコンシステム。
【請求項４】
請求項３記載の学習リモコンシステムであって、
前記被学習リモコンからの複数の操作信号の中には前記ゲームのメニュー選択のときだけに使用される選択用操作信号が含まれ、
前記コード担持体のコードに対応付けられる操作信号は、前記選択用操作信号を先頭の操作信号として含んでいることを特徴とする学習リモコンシステム。
【考案の詳細な説明】
【技術分野】
【０００１】
本考案は、被学習リモコンの操作信号を学習する学習リモコンシステムに関する。
【背景技術】
【０００２】
従来、ディスプレイに接続されるＤＶＤプレーヤーなどの情報読取装置では、装置に付属のリモコンを用いてディスク内のチャプターを選択する等によって、ゲームを行うことができるようになっている。
【０００３】
ところで、リモコンの技術分野においては、被学習リモコンの操作信号を学習する学習リモコンが開発されている（例えば、特許文献１参照）。
この技術によれば、学習リモコンの形状をゲーム内容に適した形状とした上で、装置付属のリモコンの操作信号を当該学習リモコンに学習させることにより、操作性の高い学習リモコンでゲームを行うことが可能となる。
【特許文献１】特開２００７−１５０４１０号公報
【考案の開示】
【考案が解決しようとする課題】
【０００４】
しかしながら、上記特許文献１の学習リモコンでは、キーやハンドル等の操作子のみによって操作を行うため、近年、ユーザからはより多様な方法で操作のできる学習リモコンシステムの開発が望まれている。
【０００５】
本考案は、従来と比較して多用な方法で操作することのできる学習リモコンシステムを提供することを課題とする。
【課題を解決するための手段】
【０００６】
請求項１記載の考案は、学習リモコンシステムにおいて、
被学習リモコンにおける１つの操作信号、または連続する複数の操作信号を対応付けするためのコードを担持する複数種類のコード担持体と、
前記被学習リモコンからの複数の操作信号を学習して送信する学習リモコンとを備え、
前記学習リモコンは、
ユーザが操作する操作子と、
前記コード担持体の前記コードを読み取るコード読取部と、
前記被学習リモコンからの複数の操作信号における１つ又はその組み合わせを前記操作子の動作及び前記コードに対応付けて記憶する操作信号記憶手段と、
前記操作子の動作があったときに、当該操作子の動作に対応する操作信号を送信させる第１制御部と、
前記コード担持体のコードの読み取りがされたときに、当該コードに対応する操作信号を送信させる第２制御部と、
を備えることを特徴とする。
【０００７】
請求項２記載の考案は、請求項１記載の学習リモコンシステムであって、
前記第１制御部及び前記第２制御部は、
前記被学習リモコンの対応装置で実行されるゲームに関する操作信号を送信させることを特徴とする。
【０００８】
請求項３記載の考案は、請求項２の学習リモコンシステムであって、
前記被学習リモコンからの操作信号は当該被学習リモコンの矢印キー及び決定キーの動作に対応するものであることを特徴とする。
【０００９】
請求項４記載の考案は、請求項３記載の学習リモコンシステムであって、
前記被学習リモコンからの複数の操作信号の中には前記ゲームのメニュー選択のときだけに使用される選択用操作信号が含まれ、
前記コード担持体のコードに対応付けられる操作信号は、前記選択用操作信号を先頭の操作信号として含んでいることを特徴とする。
【考案の効果】
【００１０】
請求項１記載の考案によれば、学習リモコンシステムには、被学習リモコンにおける１つの操作信号、または連続する複数の操作信号を対応付けするためのコードを担持する複数種類のコード担持体と、被学習リモコンからの複数の操作信号を学習して送信する学習リモコンとが備えられ、学習リモコンには、コード担持体のコードを読み取るコード読取部と、被学習リモコンからの複数の操作信号における１つ又はその組み合わせを操作子の動作及びコードに対応付けて記憶する操作信号記憶手段と、操作子の動作があったときに、当該操作子の動作に対応する操作信号を送信させる第１制御部と、コード担持体のコードの読み取りがされたときに、当該コードに対応する操作信号を送信させる第２制御部とが具備されるので、操作子を操作する他、コードを読み取らせることによっても操作信号を出力させることができる。従って、従来と比較して多用な方法で操作を行うことができる。また、コードの読み込みによって操作信号を出力させることができるため、操作子を操作する場合と異なり、予期しない刺激的な操作を行わせることができる。更に、連続する複数の操作信号がコードに対応付けされる場合には、コードを読み込ませるだけで一連の操作を行うことができるため、各操作を操作子で行う場合と比較して、操作を簡略化することができる。
【００１１】
請求項４記載の考案によれば、被学習リモコンからの複数の操作信号の中には前記ゲームのメニュー選択のときだけに使用される選択用操作信号が含まれ、コード担持体のコードに対応付けられる操作信号は選択用操作信号を先頭の操作信号として含んでいるので、ゲームのメニュー選択時ではないプレイ中に誤ってコードの読み取りが行われた場合であっても、この読み取りによって誤った操作がゲーム内で行われるのを防止することができる。
【考案を実施するための最良の形態】
【００１２】
以下、本考案に係る学習リモコンシステムについて説明する。
図１は本実施の形態における学習リモコンシステム１等の概略構成を示す斜視図である。
【００１３】
この図に示すように、学習リモコンシステム１は、ＤＶＤプレーヤー５で実行されるゲームの操作を行うものである。
【００１４】
［１］ＤＶＤプレーヤー
まず、ＤＶＤプレーヤー５について説明する。
ＤＶＤプレーヤー５は、ＤＶＤを読み込むことによってゲームを実行するものであり、付属リモコン６と、プレーヤー本体５０とを備えている。
【００１５】
［１．１］付属リモコン
付属リモコン６は、本考案における被学習リモコンであり、キー群６０と、発光部６２とを備えている。
キー群６０は、方向キー６０や決定キー６１等を有している。方向キー６０は、ＤＶＤプレーヤー５で実行されるゲーム内でカーソルの移動等を指示するものであり、上キー６０ａ、下キー６０ｂ、左キー６０ｃ及び右キー６０ｄを有している。一方、決定キー６１は、ゲーム内で選択肢の決定等を指示するものである。
発光部６２は、キー群６０の操作に対応する操作信号を赤外線で出力するようになっている。
【００１６】
［１．２］プレーヤー本体
プレーヤー本体５０は、読取部５０ａと、受光部５０ｂと、プレーヤー制御部５０ｃとを有している。
読取部５０ａはＤＶＤを収容して当該ＤＶＤの情報を読み取るものであり、受光部５０ｂは付属リモコン６から送信される赤外線の操作信号を受光するものである。
【００１７】
プレーヤー制御部５０ｃは、プレーヤー本体５０を統括的に制御するものであり、本実施の形態においては、受光部５０ｂで受光された操作信号に応じてＤＶＤ内のチャプターを読取部５０ａに選択させること等により、ゲーム内の操作を実行するようになっている。また、このプレーヤー制御部５０ｃは、ディスプレイ５２に接続されており、ゲームの実行画面を当該ディスプレイ５２に表示させるようになっている。
【００１８】
ここで、本実施の形態においては、ＤＶＤプレーヤー５で実行されるゲームはカーレースのゲームとなっており、プレイ中には付属リモコン６の左キー６０ｃ、右キー６０ｄ及び決定キー６１のみを使用し、上キー６０ａ及び下キー６０ｂはメニュー選択時にのみ使用するようになっている。また、図２に示すように、このゲームのタイトル画面では、メインのタイトル画面「a main title」やサブのタイトル画面「１」〜「３２」がユーザ操作に応じて表示されるようになっており、より詳細には、ゲームの開始直後にはメインのタイトル画面「a main title」が表示され、その後、方向キー６０が操作されると、図中の位置関係に従って方向キー６０による指示方向にサブのタイトル画面「１」〜「３２」が選択されて表示されるようになっている。例えば、図中に矢印で示されるように、メインのタイトル画面「a main title」の表示状態からユーザが上キー６０ａ、上キー６０ａ、上キー６０ａ、左キー６０ｃの順に方向キー６０を操作すると、これらの操作に従って「１」、「２」、「５」、「２０」のタイトル画面が順に表示される。そして、各タイトル画面の表示状態で決定キー６１が操作されると、当該タイトル画面に対応した内容のゲームがプレーヤー本体５０で実行されるようになっている。なお、本実施の形態においては、図２の各タイトル画面のうち、方向キー６０で選択された画面のみがディスプレイ５２に表示されるようになっている。
【００１９】
［２］学習リモコンシステム
続いて、学習リモコンシステム１について説明する。
学習リモコンシステム１は、複数種類のカード２と、学習リモコン３とを有している。
【００２０】
［２．１］カード
カード２は、本考案におけるコード担持体であり、付属リモコン６からの操作信号に対応付けられるバーコード２０を表面に担持している。より詳細には、バーコード２０は、後述の操作信号記憶部３４において付属リモコン６による１つの操作信号、または連続する複数の操作信号に対応付けされるものであり、本実施の形態においては、図３に示すように、上キー６０ａまたは下キー６０ｂの操作信号を先頭に含むよう対応付けされている。なお、図３中、「Menu No」欄の数値「１」〜「３２」は、カードの識別番号を示しており、図２におけるサブのタイトル画面「１」〜「３２」にそれぞれ対応している。また、「IR signal output」欄の矢印記号は対応する方向キー６０の操作信号を示しており、「ＥＮＴＥＲ」は決定キー６１の操作信号を示している。これにより、例えば識別番号「２０」のカード２におけるバーコード２０は、上キー６０ａ、上キー６０ａ、上キー６０ａ、左キー６０ｃ、決定キー６１による一連の操作の操作信号と対応している。
【００２１】
［２．２］学習リモコン
学習リモコン３は、自動車のハンドル状に形成されており、図１，図４に示すように、ハンドル部３０と、決定ボタン３１と、発光部３２と、受光部３３と、操作信号記憶部３４と、設定キー３５と、スピーカー３６と、リセットスイッチ３７と、バーコード読取部３８と、リモコン制御部３９とを有している。
【００２２】
ハンドル部３０は、環状に形成されており、ユーザ操作によって左右に回転可能となっている。
決定ボタン３１は、ハンドル部３０の上面に形成されており、ユーザ操作によって押下可能となっている。なお、これらのハンドル部３０及び決定ボタン３１は、本考案における操作子となっている。
【００２３】
発光部３２は、赤外線の操作信号を出力する部分であり、学習リモコン３におけるハンドル部３０とは反対の側（図中の奥側）に設けられている。
【００２４】
受光部３３は、付属リモコン６から送信される赤外線の操作信号を受信する部分であり、ハンドル部３０の内側に設けられている。
【００２５】
操作信号記憶部３４は、図４に示すように、受光部３３で受光された複数の操作信号における１つ又はその組み合わせを、ハンドル部３０及び決定ボタン３１の動作と、バーコード２０とに対応付けて記憶する部分であり、学習リモコン３の内部に設けられている。
【００２６】
設定キー３５は、操作信号記憶部３４に情報を記憶させるときに、操作信号にハンドル部３０や決定ボタン３１の何れの動作を対応付けるか指示するためのキーであり、本実施の形態においては、上キー３５ａ、下キー３５ｂ、左キー３５ｃ及び右キー３５ｄと、これらの中央に配設された中央キー３５ｅとを有している。このうち、左キー３５ｃはハンドル部３０における左方向への回転動作と対応しており、右キー３５ｄは右方向への回転動作と対応しており、中央キー３５ｅは決定ボタン３１の押下動作と対応している。なお、本実施の形態においては、設定キー３５は内部に発光体を備えており、点灯可能となっている。また、この設定キー３５は、操作信号記憶部３４に情報を記憶させるときに限らず、ＤＶＤプレーヤー５でのゲームのプレイ中に使用されることとしても良い。
【００２７】
スピーカー３６は、操作信号記憶部３４に情報を記憶させるときに音声案内を発声するものであり、ハンドル部３０の内側に設けられている。
【００２８】
リセットスイッチ３７は、操作信号記憶部３４内の記憶情報をリセットするためのスイッチであり、ハンドル部３０の内側に設けられている。
【００２９】
バーコード読取部３８は、カード２のバーコード２０を読み取る部分であり、ハンドル部３０の内側に設けられている。
【００３０】
リモコン制御部３９は、図４に示すように、ＣＰＵやＲＯＭ、ＲＡＭ等から構成されて学習リモコン３の内部に設けられており、学習リモコン３の各部を統括的に制御するようになっている。
例えば、このリモコン制御部３９は、ユーザに操作されたハンドル部３０，決定ボタン３１の動作に対応する操作信号や、バーコード読取部３８で読み取られたバーコード２０に対応する操作信号を操作信号記憶部３４内の情報に基づいて検出し、発光部３２に出力させるようになっている。これにより、リモコン制御部３９は、ＤＶＤプレーヤー５で実行されるゲームに関する操作信号を発光部３２に出力させるようになっている。
【００３１】
［３］学習リモコンシステムの動作
まず、ユーザがリセットスイッチ３７を押下することで操作信号記憶部３４内の記憶情報をリセットすると、リモコン制御部３９は設定キー３５（上キー３５ａ、下キー３５ｂ、左キー３５ｃ、右キー３５ｄ及び中央キー３５ｅ）を点滅させた後、上キー３５ａを点滅させるとともに、キー機能の学習開始の案内（例えば「キー機能を学習させます」等）をスピーカー３６に発声させる。
【００３２】
次に、ユーザが上キー３５ａを押下した後、付属リモコン６を受光部３３に向けて当該付属リモコン６の対応キー、つまり上キー６０ａを操作すると、リモコン制御部３９が付属リモコン６からの赤外線の操作信号を受光部３３に受光させた後、上キー３５ａに対応付けて操作信号記憶部３４に記憶させる。
【００３３】
次に、リモコン制御部３９は、上キー３５ａを消灯させた後、右キー３５ｄを点滅させる。
次に、ユーザが右キー３５ｄを押下した後、付属リモコン６を受光部３３に向けて当該付属リモコン６の対応キー、つまり右キー６０ｄを操作すると、リモコン制御部３９が付属リモコン６からの赤外線の操作信号を受光部３３に受光させた後、右キー３５ｄと、ハンドル部３０の右回転動作とに対応付けて操作信号記憶部３４に記憶させる。
【００３４】
次に、リモコン制御部３９は、右キー３５ｄを消灯させた後、下キー３５ｂを点滅させる。
次に、ユーザが下キー３５ｂを押下した後、付属リモコン６を受光部３３に向けて当該付属リモコン６の対応キー、つまり下キー６０ｂを操作すると、リモコン制御部３９が付属リモコン６からの赤外線の操作信号を受光部３３に受光させた後、下キー３５ｂに対応付けて操作信号記憶部３４に記憶させる。
【００３５】
次に、リモコン制御部３９は、下キー３５ｂを消灯させた後、左キー３５ｃを点滅させる。
次に、ユーザが左キー３５ｃを押下した後、付属リモコン６を受光部３３に向けて当該付属リモコン６の対応キー、つまり左キー６０ｃを操作すると、リモコン制御部３９が付属リモコン６からの赤外線の操作信号を受光部３３に受光させた後、左キー３５ｃと、ハンドル部３０の左回転動作とに対応付けて操作信号記憶部３４に記憶させる。
【００３６】
次に、リモコン制御部３９は、左キー３５ｃを消灯させた後、中央キー３５ｅを点滅させる。
次に、ユーザが中央キー３５ｅを押下した後、付属リモコン６を受光部３３に向けて当該付属リモコン６の対応キー、つまり決定キー６１を操作すると、リモコン制御部３９が付属リモコン６からの赤外線の操作信号を受光部３３に受光させた後、中央キー３５ｅと、決定ボタン３１の押下動作とに対応付けて操作信号記憶部３４に記憶させる。
【００３７】
以上によって設定キー３５の各キーに操作信号が対応付けられると、リモコン制御部３９は、設定キー３５の全体を改めて点滅させるとともに、キー機能の学習終了の案内（例えば「キー機能の学習が終了しました」等）をスピーカー３６に発声させる。また、リモコン制御部３９は、付属リモコン６における複数の操作信号の組み合わせをバーコード２０に対応付けて操作信号記憶部３４に記憶させる。このとき、リモコン制御部３９は、上キー６０ａまたは下キー６０ｂの操作信号を先頭に含むよう対応付けを行う。なお、各バーコード２０と操作信号の組み合わせとの対応付けは、予めバーコード２０の種類と設定キー３５の組み合わせとの対応付けをリモコン制御部３９に記憶させておき、バーコード２０の種類に基づいて、当該バーコード２０に対応する設定キー３５の組み合わせを検出させ、更に当該設定キー３５の組み合わせに対応する操作信号の組み合わせを操作信号記憶部３４内から検出させて行わせることとしても良いし、ランダムに行わせることとしても良い。
【００３８】
次に、ユーザがプレーヤー本体５０でゲームを開始すると、プレーヤー制御部５０ｃがメインのタイトル画面をディスプレイ５２に表示させる。
【００３９】
ここで、ユーザがカード２のバーコード２０をバーコード読取部３８に読み取らせると、リモコン制御部３９が当該バーコード２０に対応する操作信号を操作信号記憶部３４内から検出して発光部３２に出力させ、この操作信号に基づいてプレーヤー制御部５０ｃがサブのタイトル画面「１」〜「３２」の何れかを表示させた後、このタイトル画面に対応した内容のゲームを実行する。なお、このとき、ユーザがバーコード２０を読み取らせず、メインのタイトル画面の表示状態で決定ボタン３１を押下すると、リモコン制御部３９は当該決定ボタン３１の動作に対応する操作信号、つまり付属リモコンでの決定キー６１の操作信号を操作信号記憶部３４内から検出して発光部３２に出力させ、プレーヤー制御部５０ｃはメインのタイトル画面に対応した内容のゲームを実行する。
【００４０】
そして、ゲームが実行された後、ユーザがハンドル部３０を左に回転させると、リモコン制御部３９は、当該動作に対応する操作信号、つまり付属リモコン６での左キー６０ｃの操作信号を操作信号記憶部３４内から検出し、発光部３２に出力させる。
【００４１】
同様に、ユーザがハンドル部３０を右に回転させると、リモコン制御部３９は、当該動作に対応する操作信号、つまり付属リモコン６での右キー６０ｄの操作信号を操作信号記憶部３４内から検出し、発光部３２に出力させる。
【００４２】
また、ユーザが決定ボタンを押下すると、リモコン制御部３９は、当該動作に対応する操作信号、つまり付属リモコン６での決定キー６１の操作信号を操作信号記憶部３４内から検出し、発光部３２に出力させる。
【００４３】
以上の学習リモコンシステム１によれば、付属リモコン６における連続する操作信号を対応付けするためのバーコード２０を担持する複数種類のカード２と、付属リモコン６からの複数の操作信号を学習して送信する学習リモコン３とが備えられ、学習リモコン３には、カード２のバーコード２０を読み取るバーコード読取部３８と、付属リモコン６からの１つの操作信号や複数の操作信号の組み合わせをハンドル部３０や決定ボタン３１の動作及びバーコード２０に対応付けて記憶する操作信号記憶部３４と、ハンドル部３０や決定ボタン３１の動作があったときに、その動作に対応する操作信号を送信させるとともに、バーコード２０の読み取りがされたときに、当該バーコード２０に対応する操作信号を送信させるリモコン制御部３９とが具備されるので、ユーザはハンドル部３０及び決定ボタン３１を操作する他、バーコード２０を読み取らせることによっても操作信号を出力させることができる。従って、従来と比較して多用な方法で操作を行うことができる。
【００４４】
また、バーコード２０の読み込みによって操作信号を出力させることができるため、ハンドル部３０や決定ボタン３１、設定キー３５を操作する場合と異なり、予期しない操作を行わせることができる。更に、連続する複数の操作信号がバーコード２０に対応しており、バーコード２０を読み込ませるだけで一連の操作を行うことができるため、各操作をハンドル部３０や決定ボタン３１、設定キー３５で行う場合と比較して、操作を簡略化することができる。
【００４５】
また、付属リモコン６はゲームのメニュー選択のときだけに使用される上キー６０ａ及び下キー６０ｂを有しており、カード２のバーコード２０に対応付けられる操作信号には、これら上キー６０ａ及び下キー６０ｂの操作信号が先頭に含まれるので、ゲームのメニュー選択時ではないプレイ中に誤ってバーコード２０の読み取りが行われた場合であっても、この読み取りによって誤った操作がゲーム内で行われるのを防止することができる。
【００４６】
以上、本考案の実施形態について説明したが、本考案は、かかる実施形態に限定されるものではなく、その要旨を逸脱しない範囲で種々の変形が可能であることは言うまでもない。
例えば、上記実施の形態においては、カード２にはバーコード２０が担持されることとして説明したが、ドットコード等、他の形態のコードが担持されることとしても良い。
【図面の簡単な説明】
【００４７】
【図１】本考案に係る学習リモコンシステム等の概略構成を示す斜視図である。
【図２】タイトル画面の遷移内容を示す概念図である。
【図３】バーコードに対応する操作信号を示す図である。
【図４】本考案に係る学習リモコンシステムの概略構成を示すブロック図である。
【符号の説明】
【００４８】
１              学習リモコンシステム
２              カード（コード担持体）
３              学習リモコン
６              付属リモコン（被学習リモコン）
３０            ハンドル部（操作子）
３１            決定ボタン（操作子）
３２            発光部（赤外線発光部）
３３            受光部（赤外線受光部）
３４            操作信号記憶部（操作信号記憶手段）
３８            コード読取部
３９            制御部（第１制御部、第２制御部）
【図１】
0003144432.tif 000003
【図２】
0003144432.tif 000004
【図３】
0003144432.tif 000005
【図４】
0003144432.tif 000006